(57)【要約】【課題】垂下パッキン片３３を前板８に強固に取り付ける。【解決手段】受け具１９及び垂下パッキン片３３は一挙に前板８に固定される。前記受け部材２５の受け部２５ａに揺動係合片４２を係合させることにより、前板８は引き出し本体１０に連結・固定される。そして、その状態で、垂下パッキン片３３の上部が底板１４の前端で押えられる。また、その状態で、垂下パッキン片３３の上縁は底板１４の上面と同一高さ位置となるようになされている。【選択図】  図２
2004209123.tif 000002
【特許請求の範囲】
【請求項１】
引き出しの前板と、底板、左右側板及び後板を有する引き出し本体とが左右の連結器によって連結されるようになされ、前記連結器が、前板の後面に設けられた受け具と、左右側板各々の前部に設けられた、受け具に係合する揺動係合片を有する係合具とを有しており、揺動係合片を受け具に係合させることにより前板が引き出し本体に固定されるようになされた引き出しにおいて、左右方向に長い垂下パッキン片に設けられた上方突出状の左右の被挟持部及び垂下パッキン片の上部が前板の後面に当てられて垂下パッキン片の下部が前板下縁より露出する状態となされ、この垂下パッキン片の被挟持部が前記受け具と前板とで挟持固定されると共に垂下パッキン片の上部が底板の前端で押えられている引き出し。
【発明の詳細な説明】
【０００１】
【発明の属する技術分野】
本発明は厨房キャビネット等の引き出しに関する。
【０００２】
【従来の技術】
従来、この種の引き出しとして以下の如きものは知られている。
引き出しの前板の後面下部に左右方向に長い帯状の垂下パッキン片の上部が設けられて垂下パッキン片の下部が前板下縁より露出する状態となされたものは知られている（参考文献：特開２００１−１９７，９４８号公報の図８）。
前記垂下パッキン片は、垂下パッキン片を有する引き出しの前板とその下側の引き出しの前板との間に発生する間隙を閉塞する作用を有している。
【０００３】
【従来技術の欠点】
前記従来の引き出しには以下の如き欠点があった。
垂下パッキン片が引き出しの前板の後面下部に単に取り付けられただけのものであったため、垂下パッキン片にそれを下方に引っ張る力が作用すれば、垂下パッキン片が容易に外れるという欠点があった。
【０００４】
【前記欠点を解消するための手段】
本発明は前記欠点を解消するために以下の如き手段を採用した。
請求項１の発明は、引き出しの前板と、底板、左右側板及び後板を有する引き出し本体とが左右の連結器によって連結されるようになされ、前記連結器が、前板の後面に設けられた受け具と、左右側板各々の前部に設けられた、受け具に係合する揺動係合片を有する係合具とを有しており、揺動係合片を受け具に係合させることにより前板が引き出し本体に固定されるようになされた引き出しにおいて、左右方向に長い垂下パッキン片に設けられた上方突出状の左右の被挟持部及び垂下パッキン片の上部が前板の後面に当てられて垂下パッキン片の下部が前板下縁より露出する状態となされ、この垂下パッキン片の被挟持部が前記受け具と前板とで挟持固定されると共に垂下パッキン片の上部が底板の前端で押えられているものである。
【０００５】
【発明の効果】
本発明は前記した如き構成によって以下の如き効果を奏する。
請求項１の発明によれば、垂下パッキン片が受け具で前板に固定されると共に垂下パッキン片が底板で押えられているので、垂下パッキン片を前板に強固に固定することが出来る。また、受け具の前板への固定と、垂下パッキン片の前板への固定とが一挙に出来るので、組み立て作業が楽である。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
流し台等の厨房キャビネット１の本体３の右側に、前方に開放した引き出し用空間４が形成され、この引き出し用空間４に引き出し５及び引き出し６が、公知のガイド機構（図示略）により前後動自在（前後に引き出し自在）に設けられている。
【０００８】
前記上から３段の引き出し５は以下のごとき構成を有している。
引き出し５は、把手９を備えた前板８と、この前板８が左右の一対の公知の連結器１８によって連結された引き出し本体１０とを有している。
【０００９】
前記引き出し本体１０は、底板１４と、底板１４の左右縁に設けられた金属板を折曲して形成された、内部に空洞１５を有する左右の側板１６と、底板１４の後縁に設けられた後板（図示略）を有している。
【００１０】
前記連結器１８は、後述するようにして前板８に固定された受け具１９と、空洞１５内に位置するようにして、側板１６の前部に設けられた係合具２０とを有している。
【００１１】
前記受け具１９は、上下一対の嵌合突起２２を有する取付基台２３と、側面形状コ字状の支持部材２４と、支持部材２４の垂直部２４ａに水平揺動自在に設けられた受け部材２５とを有している。前記支持部材２４の水平部２４ｂの前端部は、前端部側が大径となる円錐台状部２６を有している。水平部２４ｂ（円錐台状部２６）は、嵌合突起２２に形成された前後方向に貫通する前端部が円錐台状部２６の形状に沿う形状となされた孔２８に嵌められている。前記嵌合突起２２の前部には所要個の切り込み２９が形成されている。このような構成により、円錐台状部２６が孔２８の前端部に位置するようにすれば、嵌合突起２２は円錐台状部２６からの力を受けず外方に拡がらないようになっており、他方、円錐台状部２６を後方に移動させると嵌合突起２２は円錐台状部２６からの力を受けて外方に拡がるようになされている。
【００１２】
前記受け部材２５の基部の前端部は、図３に示すごとく山部３０ａと谷部３０ｂとを有するカム３０となされている。受け部材２５が水平部２４ｂと前後方向に並んだ状態（図３の状態）となると、カム３０の山部３０ａが取付基台２３に当たって支持部材２４（円錐台状部２６）は後方に移動させられるようになされ（即ち、円錐台状部２６からの力を受けて嵌合突起２２は外方に拡がるようになされ）、他方、図３の矢印Ａの方向に９０度揺動させると、カム３０の谷部３０ｂが取付基台２３を押さない状態で取付基台２３に対向するので支持部材２４（円錐台状部２６）は前方に移動させられる（即ち、円錐台状部２６からの力を受けず嵌合突起２２は外方に拡がらない状態となる）。
【００１３】
前板８の後面下部には、垂下パッキン片３３が、その下部が前板８の下縁より露出する状態で、後で詳述するようにして取り付けられている。前記垂下パッキン片３３は可撓性を有しており、左右長さが「Ｌ」で、高さが「Ｈ」である。また、前記垂下パッキン片３３の左右部には、側板１６に対向するようにして、上方突出状の左右の被挟持部３４が連設されている。被挟持部３４には、嵌合突起２２が嵌まる孔３５が形成されている。
【００１４】
前記前板８に、側板１６に対向するようにして、後方に向かって開放した嵌合凹所３７が形成されている。
【００１５】
前記受け具１９及び垂下パッキン片３３は以下のようにして一挙に前板８に固定される。
図３の状態の受け部材２５を矢印Ａの方向に９０度揺動させて、嵌合突起２２が円錐台状部２６からの力を受けず外方に拡がらない状態とした後、孔３５を利用して被挟持部３４を嵌合突起２２に嵌める。その後、嵌合突起２２を嵌合凹所３７に嵌めた後、受け部材２５を図３の状態にし、円錐台状部２６を介して嵌合突起２２を嵌合凹所３７の内周面に押し付ける。このようにして、受け具１９及び垂下パッキン片３３を前板８に固定することが出来る。
【００１６】
前記係合具２０は、受け部材２５が嵌まる保持部４０を有する、側板１６に固定された支持板３９と、支持板３９に軸心を左右方向に向けた支持軸４１を介して回転自在に設けられた揺動係合片４２と、揺動係合片４２に軸心を左右方向に向けたピン４４により一端が枢着され、他端が支持板３９の張出片４５に形成された孔（図示略）に嵌められたロッド４６と、ロッド４６に嵌められた、図３の状態で揺動係合片４２を反時計方向に回転付勢するばね４７とを有している。前記ばね４７は、支持軸４１の中心とロッド４６が嵌まった孔の中心とを結ぶ線よりピン４４の中心が下側に移動すると、揺動係合片４２を反時計方向に回転付勢するようになる。
【００１７】
前記受け部材２５の受け部２５ａに揺動係合片４２を係合させることにより、前板８は引き出し本体１０に連結・固定される。そして、その状態で、垂下パッキン片３３の上部が底板１４の前端で押えられる。また、その状態で、垂下パッキン片３３の上縁は底板１４の上面と同一高さ位置となるようになされている。
【００１８】
最下段の引き出し６には垂下パッキン片３３は設けられていない。その他の構造は引き出し５と同様である。
【００１９】
【変形例等】
以下に変形例等について説明を加える。
（１）垂下パッキン片３３の素材は任意である。
（２）連結器１８の受け具１９及び係合具２０の構造は任意である。
【図面の簡単な説明】
【図１】本発明の実施の形態を示す要部正面図である。
【図２】図１のＩＩ−ＩＩ線拡大断面図である。
【図３】図２のＩＩＩ−ＩＩＩ線断面図である。
【図４】図２のＩＶ−ＩＶ線断面図である。
【符号の説明】
５  引き出し
８  前板
１０  引き出し本体
１４  底板
１６  側板
１８  連結器
１９  受け具
２０  係合具
３３  垂下パッキン片
３４  被挟持部
【図１】
2004209123.tif 000003
【図２】
2004209123.tif 000004
【図３】
2004209123.tif 000005
【図４】
2004209123.tif 000006